(57)【要約】【課題】天蓋部における水切り庇部の雨除け機能を向上させやすくする。【解決手段】下端部に取付下地２への第１固定部９を設け、上端部に固定対象の他物を固定する第２固定部１０を設け、固定具本体１１を、第１固定部９を備えた第１固定具本体１２と、第２固定部１０を備えた第２固定具本体１３とに上下に分割構成し、第１固定具本体１２を縦筒形状に形成すると共に、その第１固定具本体１２の筒内の底板部１４に第１固定部９を形成し、第１固定具本体１２の筒内の上部に第１固定部９を覆う天蓋部１５を設け、第１固定具本体１２の上端部と、第２固定具本体１３の下端部とに、相互にボルトを介して連結自在な連結部２１を設け、天蓋部１５から横外方に突設させた水切り庇部２３を設け、その水切り庇部２３の周縁部に着脱自在に取り付ける水切りカバー３１を設けてある。【選択図】図１
2015158127.tif 000002
【特許請求の範囲】
【請求項１】
下端部に取付下地への第１固定部を設け、
上端部に固定対象の他物を固定する第２固定部を設け、
固定具本体を、前記第１固定部を備えた第１固定具本体と、第２固定部を備えた第２固定具本体とに上下に分割構成し、
前記第１固定具本体を縦筒形状に形成すると共に、その第１固定具本体の筒内の底板部に前記第１固定部を形成し、
前記第１固定具本体の筒内の上部に前記第１固定部を覆う天蓋部を設け、
前記第１固定具本体の上端部と、前記第２固定具本体の下端部とに、相互にボルトを介して連結自在な連結部を設け、
前記天蓋部から横外方に突設させた水切り庇部を設け、その水切り庇部の周縁部に着脱自在に取り付ける水切りカバーを設けてある設置物固定具。
【請求項２】
前記第１固定具本体は、下方ほど大口径の筒状角錐台形状に形成してある請求項１に記載の設置物固定具。
【発明の詳細な説明】
【技術分野】
【０００１】
本発明は、設置物固定具に関する。
【背景技術】
【０００２】
従来の設置物固定具は、下端部に取付下地への第１固定部を設け、上端部に固定対象の他物を固定する第２固定部を設け、前記第１固定部を備えた第１固定具本体と、第２固定部を備えた第２固定具本体とを設け、前記第１固定具本体を縦筒形状に形成すると共に、その第１固定具本体の筒内の底板部に前記第１固定部を形成し、前記第２固定具本体に前記第１固定部を覆う天蓋部を設けると共に、その天蓋部に他物をボルトとナットで連結固定するためのボルト挿通孔を設けて前記第２固定部を形成し、前記第１固定具本体の上端部と、前記第２固定具本体の下端部とに、相互にボルトを介して連結自在な連結部を設けてあった（例えば、特許文献１参照）。  
【先行技術文献】
【特許文献】
【０００３】
【特許文献１】特開２００９−１６７７５４号公報
【発明の概要】
【発明が解決しようとする課題】
【０００４】
上述した従来の設置物固定具では、天蓋部の周縁部に水切り庇部はあるものの、その水切り庇部による雨よけ機能は少なかった。
つまり、第１固定具本体に取付下地への固定操作用の開口部を設けた場合に、その開口部に対して雨水の侵入を十分防止するのは困難であった。
【０００５】
従って、本発明の目的は、上記問題点を解消し、天蓋部における水切り庇部の雨除け機能を向上させやすくするところにある。
【課題を解決するための手段】
【０００６】
本発明の設置物固定具の第１の特徴構成は、下端部に取付下地への第１固定部を設け、上端部に固定対象の他物を固定する第２固定部を設け、固定具本体を、前記第１固定部を備えた第１固定具本体と、第２固定部を備えた第２固定具本体とに上下に分割構成し、前記第１固定具本体を縦筒形状に形成すると共に、その第１固定具本体の筒内の底板部に前記第１固定部を形成し、前記第１固定具本体の筒内の上部に前記第１固定部を覆う天蓋部を設け、前記第１固定具本体の上端部と、前記第２固定具本体の下端部とに、相互にボルトを介して連結自在な連結部を設け、前記天蓋部から横外方に突設させた水切り庇部を設け、その水切り庇部の周縁部に着脱自在に取り付ける水切りカバーを設けてあるところにある。
【０００７】
本発明の第１の特徴構成によれば、水切り庇部の周縁部に水切りカバーを着脱自在に設けることにより、水切り庇部よりも下方に例え開口部を設けてあっても、その開口部を通しての雨水の侵入を防止しやすくなる。
【０００８】
本発明の第２の特徴構成は、前記第１固定具本体は、下方ほど大口径の筒状角錐台形状に形成してあるところにある。
【０００９】
本発明の第２の特徴構成によれば、本発明の第１の特徴構成による上述の作用効果を叶えることができるのに加えて、下方ほど大口径の筒状角錐台形状に形成した第１固定具本体により、上方からの荷重に対する支持強度や、横方向の外力に対する耐力が向上する。
【図面の簡単な説明】
【００１０】
【図１】全体斜視図である。
【図２】縦断面図である。
【図３】分解斜視図である。
【図４】別実施形態の要部の一部切欠き斜視図である。
【図５】別実施形態の分解斜視図である。
【図６】別実施形態の一部縦断面図である。
【図７】別実施形態の要部縦断面図である。
【図８】別実施形態の要部縦断面図である。
【図９】別実施形態の要部縦断面図である。
【図１０ａ】別実施形態の全体斜視図で、水切りカバーを取り付ける前の状態図である。
【図１０ｂ】別実施形態の全体斜視図で、水切りカバー装着後の状態図である。
【図１０ｃ】別実施形態の全体斜視図で、水切りカバー装着中の状態図である。
【図１１】水切りカバーを示し、（ａ）平面図、（ｂ）下方からの斜視図、（ｃ）背面図、（ｄ）側面図である。
【発明を実施するための形態】
【００１１】
以下に本発明の実施の形態を図面に基づいて説明する。
図１〜図３に示すように、本発明の設置物固定具（以後、単に固定台１という）とは、屋上のコンクリート床やベランダ等の建築物（取付下地２の一例）の上に、例えばソーラーパネルやその固定枠、アンテナの支柱等の固定対象部材（設置物の一例）を固定するものである。
【００１２】
前記コンクリート床２の上には、防水シート６が敷設してある。
当該実施形態においては、コンクリート床２の全域に防水シート６が敷設してある状態で、その上に、当該固定台１を設置して、固定対象部材を固定台１に固定する。従って、固定台１を設置した後、その周囲に、防水シート６と固定台１の外周部にわたる状態に立上り防水層７を設置し、その上端部をバンド２９で縛ると共に、シール剤３０を塗布して雨水の浸入を防止して、固定台設置部分から下方への漏水防止を図っている。
コンクリート床２における固定台設置箇所には、予め、アンカーボルト８が設置してあり、このアンカーボルト８に固定台１が固定されている。
前記固定対象部材は、その固定枠が、前記固定台１にボルト１９とナットＮとで固定されている。このとき、図２、図３に示すように、複数本のボルト１９を嵌合する断面コの字型のチャンネル材を天板部３４の下面に配置して、座金と同様な使用にすることでボルト１９の回り止めの役目も備えさせてある。
【００１３】
前記固定台１は、下端部にコンクリート床２への第１固定部９を設け、上端部に固定対象部材の固定枠を固定する第２固定部１０を設け、固定具本体１１を鉄系材等の金属製で形成して、第１固定部９を備えた第１固定具本体１２と、第２固定部１０を備えた第２固定具本体１３とに上下に分割構成してある。
【００１４】
前記第２固定具本体１３は、夫々別体の第２固定部１０を設けた天板部３４と筒状の側板部３５とから構成し、天板部３４の周部に形成した折り曲げ縁部３４Ａと側板部３５とを、それぞれに形成した連結用孔３６にボルト３７を挿通させてナットＮで締め付けて、天板部３４と側板部３５とを一体化してある。尚、折り曲げ縁部３４Ａに形成した連結用孔３６は、横方向の長孔にしてあり、天板部３４と側板部３５とを相対的に位置調整可能に構成してある。
【００１５】
前記第１固定具本体１２を横断面略四角形で、下方ほど大口径の筒状の角錐台形状に形成して、上下支持力及び横方向の外力に対する強度を高めてあると共に、その第１固定具本体１２の筒内の底板部１４に第１固定部９を形成し、第１固定具本体１２の筒内の上部に第１固定部９を覆う天蓋部１５を設け、第１固定具本体１２の４つの筒周面部に第１固定部９に対する固定操作用の第１開口部１６を形成し、その第１開口部９を、第１固定部９の固定操作終了後に第１開口部９を閉じる開口部閉止蓋３２をビス３３で取り付けるように構成してある。
【００１６】
前記第１固定部９には、複数の第１ボルト挿通孔１７を設けてあり、前記第２固定部１０には、長孔状の３本の第２ボルト挿通孔１８を設けてある（図２参照）。
前記第１ボルト挿通孔１７には、コンクリート床２に埋設されたアンカーボルト８が下方から挿通され、そのボルト上端部にナットＮを螺合して締め付けることで固定具本体１１がコンクリート床２に固定される。
前記第２ボルト挿通孔１８には、前記固定枠を固定するためのボルト１９が下方から挿通され、そのボルト上端部にナットＮを螺合して締め付けることで固定枠が固定台１に固定される。
【００１７】
第１固定具本体１２の上端部と、第２固定具本体１３の下端部とには、相互にボルト２０を介して連結自在な連結部２１を設け、第１固定具本体１２の連結部２１と第２固定具本体１３の連結部２１の少なくともいずれか一方に、上下に沿ったボルト挿通用長孔２２を形成してある。
【００１８】
前記第１固定具本体１２の筒周部で第１開口部１６よりも上方に、水切り庇部２３を設けてあり、立上り防水層７及び第１開口部１６への雨水の浸入を防止してある。その水切り庇部２３は、前記天蓋部１５から連設して横外方に突出した金属板から形成して、その周縁部を斜め外下方に折り曲げて、折り曲げ部２３Ａを形成してある。
【００１９】
前記折り曲げ部２３Ａには、周方向に４分割した水切りカバー３１を着脱自在にボルト３９とナットＮを介して取り付けることにより、立上り防水層７の上端縁部に対する止水機能を図ってある。つまり、立上り防水層７で第１固定具本体１２の外側を覆わせた後にバンド２９を巻きつけてビス３３で固定する作業時には、邪魔にならないように、水切りカバー３1を外した状態で行って作業性を向上させ、ビス３３によりバンド２９を固定した後には水切りカバー３１の取り付けを行い、立上り防水層７の上端縁部の止水性を向上させてある。
尚、水切りカバー３１は、コーナー部が一体になったアングル形状に形成してあるために、水切りカバー３１自身の補強のみならず、取り付け後に固定具本体１１の補強の機能も兼ね備えている。
【００２０】
前記第１固定具本体１２の連結部２１は、四角筒の４隅部に位置し、夫々平面視で直交する連結用面部２１Ａを有して各連結用面部２１Ａに上下に長いボルト挿通用長孔２２を形成してある。前記直交する連結用面部２１Ａ間に縦長のスリット２５を形成して、そのスリット２５により、天蓋部１５の上の隅部に溜まる雨水を、外部に排水し易くなるように形成してある（図１、図３）。
【００２１】
前記第２固定具本体１３は、略四角筒形状の４つの周側部夫々に切欠き部を形成して、第２固定部１０に対する固定操作用の第２開口部２６を形成してある。
尚、第２開口部２６は、第２固定具本体１３の周側部に１箇所以上あれば良い。
前記第２固定具本体１３の連結部２１は、四角筒の４隅部に位置し、夫々平面視で直交する連結用面部２１Ａを有して各連結用面部２１Ａにボルト挿通用丸孔２７を形成してある。前記直交する連結用面部２１Ａ間に縦長のスリット２５を形成して、そのスリット２５により、第１固定具本体１２に対して第２固定具本体１３を傾斜状態で連結する場合に、鉄系材の良好な靭性を利用して、連結用面部２１Ａが相手の連結用面部２１Ａになじむように変形を許容できるようにしてある。
【００２２】
また、スリット２５を設けてあるために、第１固定具本体１２の連結部２１と、第２固定具本体１３の連結部２１とを、ボルト２０とナットＮで連結する際に、スパナを挿通させてボルト２０の回転操作用の隙間としてスリット２５を利用できる。
【００２３】
〔別実施形態〕
以下に他の実施の形態を説明する。
〈１〉  前記第１固定具本体１２の周壁部で水切り庇部２３の下方には、図４に示すように、角錐台状の筒形の第１固定具本体１２の内方空間と外気とを連通する通気孔４０が、周方向に複数設けてあり、固定台を取付下地２に固定後に、第１固定具本体１２内方の水蒸気を外方に排出できるように構成してある。つまり、下地に含まれる水分が蒸気となって、第１固定具本体１２の内方に供給されることがあり、特に冬の夜などの外気温が下がる時に、第１固定具本体１２内で結露して、腐食の原因になることがある。これに対し、通気孔４０により第１固定具本体１２内方の蒸気が外方に排出されて、長期に亘り腐食を防止してくれる。尚、通気孔４０からの雨水の浸入は、水切り庇部２３により防止される。また、通気孔４０には、風により外気が侵入し、内部の暖かい湿った空気が軽く排出されやすくなり、その上、下地に勾配があると、複数の通気孔４０同士に高低差ができ、無風状態でもその高低差により内方の空気の換気がなされる。
〈２〉  天蓋部１５には、図５、図６に示すように、上方に突出する縁を設けた開口部４１を設けると共に、その開口部４１の縁に上方から嵌合して閉じることができる嵌合蓋４２を設けてあってもよい。尚、嵌合蓋４２を外れないように天蓋部１５に固定するための突出部４３を、嵌合蓋４２に連設し、その突出部４３をボルト４４で水切り庇部２３に連結固定してある。
〈３〉  第１固定具本体１２における通気孔４０の下側部には、図７〜図９に示すように、水切りカバー３１に向けて突出する風よけ障壁部４５を、第１固定具本体１２の全周に亘って一体に設け、第１固定具本体１２と水切りカバー３１との隙間を通って下方から上方の通気孔４０にかけて吹き上げる雨混じりの風が、通気孔４０を通って第１固定具本体１２の内方空間に吹き込むのを防止できるように構成してある。その中でも、図７に対し図８、図９とは、風よけ障壁部４５の突出角度を異ならせてある。また、図８は、図９とは異なり、本発明の固定台１の固定箇所によっては、立上り防水層７を設けない場合もある。
〈４〉  前記天蓋部１５には、傾斜を設けてあったり、中央部が盛り上がったムクリ部を形成して（図示せず）、排水性を向上させてあっても良い。
〈５〉  前記水切りカバー３１を取り付けやすくするための別実施形態として、図１０ａ〜図１１ｄに示すように、水切りカバー３１に、夫々座金５０を挿通させた複数のボルト３９を仮付けした状態で、折り曲げ部２３Ａに仮係止できるように、折り曲げ部２３Ａにその下端縁部からボルト３９をボルト径方向に係入可能な切欠き溝５１を、周方向の複数個所に形成してある。
尚、ボルト３９は、水切りカバー３１に対して螺合できるメネジ孔を水切りカバー３１に形成してあるか、もしくは、水切りカバー３１の裏面で且つボルト挿通孔に対応した位置に、ナットを溶接付けしてあってもよい。
また、座金５０は、切欠き溝５１を覆って雨水が下方の第１固定具本体１２側に漏水するのを防止できるように、比較的大径のものを採用すると共に、水切りカバー３１の上端縁部よりも上方にはみ出るように配置してボルト３９を出退自在に取り付け（図１１（ａ）〜図１１（ｄ））る。そして、折り曲げ部２３Ａに形成した切欠き溝５１にボルト３９を係入する際に、座金５０のはみ出し部を折り曲げ部２３Ａの上面に載せながら、水切りカバー３１を折り曲げ部２３Ａの下面に沿って移動させることにより（図１０ａ→図１０ｃ→図１０ｂ）、水切りカバー３１は折り曲げ部２３Ａに仮装着でき、その後にボルト３９を締め付けることで、水切りカバー３１は、固定される。これにより、ボルト３９に対してその軸方向に移動して位置が定まりにくい座金５０を、簡単に安定取り付けでき、装着作業性を向上させることができる。
また、複数の切欠き溝５１は、夫々、水切りカバー３１の折り曲げ部２３Ａに対する装着時の移動方向に沿わせて形成してある。つまり、図１０ａ及び図１０ｃに示すように、水切りカバー３１の一方側の第１水切り面３１Ａに対応する折り曲げ部２３Ａの第１切欠き溝５１Ａは、水切りカバー３１の他方側の第２水切り面３１Ｂの傾斜と平行に形成し、水切りカバー３１の他方側の第２水切り面３１Ｂに対応する折り曲げ部２３Ｂの第２切欠き溝５１Ｂは、水切りカバー３１の一方側の第１水切り面３１Ａの傾斜と平行に形成して、水切りカバー３１に予め取り付ける複数のボルト３９を、片手でも簡単に各切欠き溝５１に挿入係止でき、効率的である。
〈６〉  前記座金５０は、ボルト３９と一体になった座金付きボルトを使用してもよい。
【００２４】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【符号の説明】
【００２５】
１２    第１固定具本体
１３    第２固定具本体
２３    水切り庇部
２３Ａ  折り曲げ部
３１    水切りカバー
３２    開口部閉止蓋
３４    天板部
３５    側板部
３４Ａ  折り曲げ縁部
４０    通気孔
４１    開口部
４２    嵌合蓋
４３    突出部
【図１】
2015158127.tif 000003
【図２】
2015158127.tif 000004
【図３】
2015158127.tif 000005
【図４】
2015158127.tif 000006
【図５】
2015158127.tif 000007
【図６】
2015158127.tif 000008
【図７】
2015158127.tif 000009
【図８】
2015158127.tif 000010
【図９】
2015158127.tif 000011
【図１０ａ】
2015158127.tif 000012
【図１０ｂ】
2015158127.tif 000013
【図１０ｃ】
2015158127.tif 000014
【図１１】
2015158127.tif 000015
【手続補正書】
【提出日】平成27年4月14日(2015.4.14)
【手続補正１】
【補正対象書類名】特許請求の範囲
【補正対象項目名】全文
【補正方法】変更
【補正の内容】
【特許請求の範囲】
【請求項１】
下端部に取付下地への第１固定部を設け、
上端部に固定対象の他物を固定する第２固定部を設けた固定具本体を、縦筒形状に形成すると共に、
前記固定具本体の筒内の上部に天蓋部を設け、
前記固定具本体の外周部よりも横外方に突設させた水切り庇部を設けてある設置物固定具であって、
前記固定具本体の周壁部で前記水切り庇部の下方には、前記固定具本体の内方空間と外気とを連通する通気孔を設けてある設置物固定具。
【請求項２】
前記通気孔の下側部には、風よけ障壁部を前記固定具本体に一体に設けてある請求項１に記載の設置物固定具。
【手続補正２】
【補正対象書類名】明細書
【補正対象項目名】全文
【補正方法】変更
【補正の内容】
【発明の詳細な説明】
【技術分野】
【０００１】
本発明は、設置物固定具に関する。
【背景技術】
【０００２】
従来の設置物固定具は、下端部に取付下地への第１固定部を設け、上端部に固定対象の他物を固定する第２固定部を設けた固定具本体を、縦筒形状に形成すると共に、前記固定具本体の筒内の上部に天蓋部を設け、前記固定具本体の外周部よりも横外方に突設させた水切り庇部を設けてあった（例えば、特許文献１参照）。  
【先行技術文献】
【特許文献】
【０００３】
【特許文献１】特開２００９−１６７７５４号公報
【発明の概要】
【発明が解決しようとする課題】
【０００４】
上述した従来の設置物固定具では、天蓋部の周縁部に水切り庇部はあるものの、その水切り庇部による雨よけ機能は少なかった。
つまり、固定具本体に取付下地への固定操作用の開口部を設けた場合に、その開口部に対して雨水の侵入を十分防止するのは困難であった。
【０００５】
従って、本発明の目的は、上記問題点を解消し、天蓋部における水切り庇部の雨除け機能を向上させやすくするところにある。
【課題を解決するための手段】
【０００６】
本発明の設置物固定具の第１の特徴構成は、下端部に取付下地への第１固定部を設け、上端部に固定対象の他物を固定する第２固定部を設けた固定具本体を、縦筒形状に形成すると共に、前記固定具本体の筒内の上部に天蓋部を設け、前記固定具本体の外周部よりも横外方に突設させた水切り庇部を設けてある設置物固定具であって、前記固定具本体の周壁部で前記水切り庇部の下方には、前記固定具本体の内方空間と外気とを連通する通気孔を設けたところにある。
【０００７】
本発明の第１の特徴構成によれば、下地に含まれる水分が蒸気となって、前記固定具本体の内方に供給されることがあり、特に冬の夜などの外気温が下がる時に、前記固定具本体内で結露して、腐食の原因になることがある。これに対し、前記通気孔により前記固定具本体内方の蒸気が外方に排出されて、長期に亘り腐食を防止してくれる。
尚、前記通気孔からの雨水の浸入は、前記水切り庇部により防止される。また、前記通気孔には、風により外気が侵入し、内部の暖かい湿った空気が軽く排出されやすくなる。
【０００８】
本発明の第２の特徴構成は、前記通気孔の下側部には、風よけ障壁部を前記固定具本体に一体に設けたところにある。
【０００９】
本発明の第２の特徴構成によれば、本発明の第１の特徴構成による上述の作用効果を叶えることができるのに加えて、前記風よけ障壁部が、下方から上方の前記通気孔にかけて吹き上げる雨混じりの風が、前記通気孔を通って前記固定具本体の内方空間に吹き込むのを防止できる。
【図面の簡単な説明】
【００１０】
【図１】全体斜視図である。
【図２】縦断面図である。
【図３】分解斜視図である。
【図４】別実施形態の要部の一部切欠き斜視図である。
【図５】別実施形態の分解斜視図である。
【図６】別実施形態の一部縦断面図である。
【図７】別実施形態の要部縦断面図である。
【図８】別実施形態の要部縦断面図である。
【図９】別実施形態の要部縦断面図である。
【図１０ａ】別実施形態の全体斜視図で、水切りカバーを取り付ける前の状態図である。
【図１０ｂ】別実施形態の全体斜視図で、水切りカバー装着後の状態図である。
【図１０ｃ】別実施形態の全体斜視図で、水切りカバー装着中の状態図である。
【図１１】水切りカバーを示し、（ａ）平面図、（ｂ）下方からの斜視図、（ｃ）背面図、（ｄ）側面図である。
【発明を実施するための形態】
【００１１】
以下に本発明の実施の形態を図面に基づいて説明する。
図１〜図３に示すように、本発明の設置物固定具（以後、単に固定台１という）とは、屋上のコンクリート床やベランダ等の建築物（取付下地２の一例）の上に、例えばソーラーパネルやその固定枠、アンテナの支柱等の固定対象部材（設置物の一例）を固定するものである。
【００１２】
前記コンクリート床２の上には、防水シート６が敷設してある。
当該実施形態においては、コンクリート床２の全域に防水シート６が敷設してある状態で、その上に、当該固定台１を設置して、固定対象部材を固定台１に固定する。従って、固定台１を設置した後、その周囲に、防水シート６と固定台１の外周部にわたる状態に立上り防水層７を設置し、その上端部をバンド２９で縛ると共に、シール剤３０を塗布して雨水の浸入を防止して、固定台設置部分から下方への漏水防止を図っている。
コンクリート床２における固定台設置箇所には、予め、アンカーボルト８が設置してあり、このアンカーボルト８に固定台１が固定されている。
前記固定対象部材は、その固定枠が、前記固定台１にボルト１９とナットＮとで固定されている。このとき、図２、図３に示すように、複数本のボルト１９を嵌合する断面コの字型のチャンネル材を天板部３４の下面に配置して、座金と同様な使用にすることでボルト１９の回り止めの役目も備えさせてある。
【００１３】
前記固定台１は、下端部にコンクリート床２への第１固定部９を設け、上端部に固定対象部材の固定枠を固定する第２固定部１０を設け、固定具本体１１を鉄系材等の金属製で形成して、第１固定部９を備えた第１固定具本体１２と、第２固定部１０を備えた第２固定具本体１３とに上下に分割構成してある。
【００１４】
前記第２固定具本体１３は、夫々別体の第２固定部１０を設けた天板部３４と筒状の側板部３５とから構成し、天板部３４の周部に形成した折り曲げ縁部３４Ａと側板部３５とを、それぞれに形成した連結用孔３６にボルト３７を挿通させてナットＮで締め付けて、天板部３４と側板部３５とを一体化してある。尚、折り曲げ縁部３４Ａに形成した連結用孔３６は、横方向の長孔にしてあり、天板部３４と側板部３５とを相対的に位置調整可能に構成してある。
【００１５】
前記第１固定具本体１２を横断面略四角形で、下方ほど大口径の筒状の角錐台形状に形成して、上下支持力及び横方向の外力に対する強度を高めてあると共に、その第１固定具本体１２の筒内の底板部１４に第１固定部９を形成し、第１固定具本体１２の筒内の上部に第１固定部９を覆う天蓋部１５を設け、第１固定具本体１２の４つの筒周面部に第１固定部９に対する固定操作用の第１開口部１６を形成し、その第１開口部９を、第１固定部９の固定操作終了後に第１開口部９を閉じる開口部閉止蓋３２をビス３３で取り付けるように構成してある。
【００１６】
前記第１固定部９には、複数の第１ボルト挿通孔１７を設けてあり、前記第２固定部１０には、長孔状の３本の第２ボルト挿通孔１８を設けてある（図２参照）。
前記第１ボルト挿通孔１７には、コンクリート床２に埋設されたアンカーボルト８が下方から挿通され、そのボルト上端部にナットＮを螺合して締め付けることで固定具本体１１がコンクリート床２に固定される。
前記第２ボルト挿通孔１８には、前記固定枠を固定するためのボルト１９が下方から挿通され、そのボルト上端部にナットＮを螺合して締め付けることで固定枠が固定台１に固定される。
【００１７】
第１固定具本体１２の上端部と、第２固定具本体１３の下端部とには、相互にボルト２０を介して連結自在な連結部２１を設け、第１固定具本体１２の連結部２１と第２固定具本体１３の連結部２１の少なくともいずれか一方に、上下に沿ったボルト挿通用長孔２２を形成してある。
【００１８】
前記第１固定具本体１２の筒周部で第１開口部１６よりも上方に、水切り庇部２３を設けてあり、立上り防水層７及び第１開口部１６への雨水の浸入を防止してある。その水切り庇部２３は、前記天蓋部１５から連設して横外方に突出した金属板から形成して、その周縁部を斜め外下方に折り曲げて、折り曲げ部２３Ａを形成してある。
【００１９】
前記折り曲げ部２３Ａには、周方向に４分割した水切りカバー３１を着脱自在にボルト３９とナットＮを介して取り付けることにより、立上り防水層７の上端縁部に対する止水機能を図ってある。つまり、立上り防水層７で第１固定具本体１２の外側を覆わせた後にバンド２９を巻きつけてビス３３で固定する作業時には、邪魔にならないように、水切りカバー３1を外した状態で行って作業性を向上させ、ビス３３によりバンド２９を固定した後には水切りカバー３１の取り付けを行い、立上り防水層７の上端縁部の止水性を向上させてある。
尚、水切りカバー３１は、コーナー部が一体になったアングル形状に形成してあるために、水切りカバー３１自身の補強のみならず、取り付け後に固定具本体１１の補強の機能も兼ね備えている。
【００２０】
前記第１固定具本体１２の連結部２１は、四角筒の４隅部に位置し、夫々平面視で直交する連結用面部２１Ａを有して各連結用面部２１Ａに上下に長いボルト挿通用長孔２２を形成してある。前記直交する連結用面部２１Ａ間に縦長のスリット２５を形成して、そのスリット２５により、天蓋部１５の上の隅部に溜まる雨水を、外部に排水し易くなるように形成してある（図１、図３）。
【００２１】
前記第２固定具本体１３は、略四角筒形状の４つの周側部夫々に切欠き部を形成して、第２固定部１０に対する固定操作用の第２開口部２６を形成してある。
尚、第２開口部２６は、第２固定具本体１３の周側部に１箇所以上あれば良い。
前記第２固定具本体１３の連結部２１は、四角筒の４隅部に位置し、夫々平面視で直交する連結用面部２１Ａを有して各連結用面部２１Ａにボルト挿通用丸孔２７を形成してある。前記直交する連結用面部２１Ａ間に縦長のスリット２５を形成して、そのスリット２５により、第１固定具本体１２に対して第２固定具本体１３を傾斜状態で連結する場合に、鉄系材の良好な靭性を利用して、連結用面部２１Ａが相手の連結用面部２１Ａになじむように変形を許容できるようにしてある。
【００２２】
また、スリット２５を設けてあるために、第１固定具本体１２の連結部２１と、第２固定具本体１３の連結部２１とを、ボルト２０とナットＮで連結する際に、スパナを挿通させてボルト２０の回転操作用の隙間としてスリット２５を利用できる。
【００２３】
〔別実施形態〕
以下に他の実施の形態を説明する。
〈１〉  前記第１固定具本体１２の周壁部で水切り庇部２３の下方には、図４に示すように、角錐台状の筒形の第１固定具本体１２の内方空間と外気とを連通する通気孔４０が、周方向に複数設けてあり、固定台を取付下地２に固定後に、第１固定具本体１２内方の水蒸気を外方に排出できるように構成してある。つまり、下地に含まれる水分が蒸気となって、第１固定具本体１２の内方に供給されることがあり、特に冬の夜などの外気温が下がる時に、第１固定具本体１２内で結露して、腐食の原因になることがある。これに対し、通気孔４０により第１固定具本体１２内方の蒸気が外方に排出されて、長期に亘り腐食を防止してくれる。尚、通気孔４０からの雨水の浸入は、水切り庇部２３により防止される。また、通気孔４０には、風により外気が侵入し、内部の暖かい湿った空気が軽く排出されやすくなり、その上、下地に勾配があると、複数の通気孔４０同士に高低差ができ、無風状態でもその高低差により内方の空気の換気がなされる。
〈２〉天蓋部１５には、図５、図６に示すように、上方に突出する縁を設けた開口部４１を設けると共に、その開口部４１の縁に上方から嵌合して閉じることができる嵌合蓋４２を設けてあってもよい。尚、嵌合蓋４２を外れないように天蓋部１５に固定するための突出部４３を、嵌合蓋４２に連設し、その突出部４３をボルト４４で水切り庇部２３に連結固定してある。
〈３〉  第１固定具本体１２における通気孔４０の下側部には、図７〜図９に示すように、水切りカバー３１に向けて突出する風よけ障壁部４５を、第１固定具本体１２の全周に亘って一体に設け、第１固定具本体１２と水切りカバー３１との隙間を通って下方から上方の通気孔４０にかけて吹き上げる雨混じりの風が、通気孔４０を通って第１固定具本体１２の内方空間に吹き込むのを防止できるように構成してある。その中でも、図７に対し図８、図９とは、風よけ障壁部４５の突出角度を異ならせてある。また、図８は、図９とは異なり、本発明の固定台１の固定箇所によっては、立上り防水層７を設けない場合もある。
〈４〉  前記天蓋部１５には、傾斜を設けてあったり、中央部が盛り上がったムクリ部を形成して（図示せず）、排水性を向上させてあっても良い。
〈５〉  前記水切りカバー３１を取り付けやすくするための別実施形態として、図１０ａ〜図１１ｄに示すように、水切りカバー３１に、夫々座金５０を挿通させた複数のボルト３９を仮付けした状態で、折り曲げ部２３Ａに仮係止できるように、折り曲げ部２３Ａにその下端縁部からボルト３９をボルト径方向に係入可能な切欠き溝５１を、周方向の複数個所に形成してある。
尚、ボルト３９は、水切りカバー３１に対して螺合できるメネジ孔を水切りカバー３１に形成してあるか、もしくは、水切りカバー３１の裏面で且つボルト挿通孔に対応した位置に、ナットを溶接付けしてあってもよい。
また、座金５０は、切欠き溝５１を覆って雨水が下方の第１固定具本体１２側に漏水するのを防止できるように、比較的大径のものを採用すると共に、水切りカバー３１の上端縁部よりも上方にはみ出るように配置してボルト３９を出退自在に取り付け（図１１（ａ）〜図１１（ｄ））る。そして、折り曲げ部２３Ａに形成した切欠き溝５１にボルト３９を係入する際に、座金５０のはみ出し部を折り曲げ部２３Ａの上面に載せながら、水切りカバー３１を折り曲げ部２３Ａの下面に沿って移動させることにより（図１０ａ→図１０ｃ→図１０ｂ）、水切りカバー３１は折り曲げ部２３Ａに仮装着でき、その後にボルト３９を締め付けることで、水切りカバー３１は、固定される。これにより、ボルト３９に対してその軸方向に移動して位置が定まりにくい座金５０を、簡単に安定取り付けでき、装着作業性を向上させることができる。
また、複数の切欠き溝５１は、夫々、水切りカバー３１の折り曲げ部２３Ａに対する装着時の移動方向に沿わせて形成してある。つまり、図１０ａ及び図１０ｃに示すように、水切りカバー３１の一方側の第１水切り面３１Ａに対応する折り曲げ部２３Ａの第１切欠き溝５１Ａは、水切りカバー３１の他方側の第２水切り面３１Ｂの傾斜と平行に形成し、水切りカバー３１の他方側の第２水切り面３１Ｂに対応する折り曲げ部２３Ｂの第２切欠き溝５１Ｂは、水切りカバー３１の一方側の第１水切り面３１Ａの傾斜と平行に形成して、水切りカバー３１に予め取り付ける複数のボルト３９を、片手でも簡単に各切欠き溝５１に挿入係止でき、効率的である。
〈６〉前記座金５０は、ボルト３９と一体になった座金付きボルトを使用してもよい。
【００２４】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【符号の説明】
【００２５】
１２    第１固定具本体
１３    第２固定具本体
２３    水切り庇部
２３Ａ  折り曲げ部
３１    水切りカバー
３２    開口部閉止蓋
３４    天板部
３５    側板部
３４Ａ  折り曲げ縁部
４０    通気孔
４１    開口部
４２    嵌合蓋
４３    突出部